(57)【要約】【課題】薬の飲み忘れや２度飲みを防止するための、操作が簡単で、間違いが少なく、小型・軽量・安価な薬箱を提供することである。【解決手段】薬を入れるための中央に穴のある円盤状の複数の薬ケースと、複数の薬ケースを収納するための収納箱とで構成され、薬ケースは７個以上のポケットを有し、ポケットごとに開閉蓋があり、薬ケースの上面には曜日を表す情報が表示され、薬ケースの側面には時刻に関連する情報が表示され、収納箱は複数の薬ケースを径方向が縦になるように入れる構造をもち、収納箱の上面は開放され、収納箱の側面は薬ケースの孔を塞がない構造をもつようにする。【選択図】図４
0003180447.tif 000002
【実用新案登録請求の範囲】
【請求項１】
薬を入れるための円盤状の複数の薬ケースと、複数の薬ケースを収納するための収納箱とで構成され、薬ケースは７個以上のポケットを有し、ポケットごとに開閉蓋があり、薬ケースの上面には曜日を表す情報が表示され、薬ケースの中央には指が入る大きさの穴があり、薬ケースの側面には時刻に関連する情報が表示され、収納箱は複数の薬ケースを径方向が縦になるように入れる構造をもち、収納箱の上面は開放され、収納箱の側面は薬ケースの孔を塞がない構造をもつことを特徴とする薬箱
【請求項２】
薬ケースの上面は透明または半透明で、個々のポケットの上面の端によせて曜日を表す情報を表示することを特徴とする請求項１記載の薬箱
【請求項３】
収納箱の側面上部中央に薬ケースの穴に対応した窪みを設けたことを特徴とする請求項１記載の薬箱
【請求項４】
収納箱の正面に曜日の表示機能、アラームの時刻設定機能、アラームのオン・オフスイッチ機能を有することを特徴とする請求項１記載の薬箱。
【考案の詳細な説明】
【技術分野】
【０００１】
本考案は、薬の飲み忘れを防止するための薬箱に関するものである。
【背景技術】
【０００２】
複数の種類の薬を服用することは珍しくはなく、さらに服用する時間が朝、昼、夜などと指定されるのが普通である。このような場合、うっかり指定の時刻に飲み忘れたり、飲んだことを忘れて２度飲んだり、あるいは飲んだかどうか忘れてしまうことがときどき起こる。以下、これらを総合して飲み忘れと呼ぶことにする。とくに、高齢者が自宅で薬を服用する場合は飲み忘れが多く、常に複数の種類の薬を決まった時刻に間違いなく服用するのは困難であり、飲んだかどうか忘れてしまうことも多々ある。介助者が行う場合も、薬の飲み忘れを防止することは容易とはいえない。
【０００３】
このような状況で、薬の飲み忘れを防止するために様々な種類の薬箱が提案されている。
【０００４】
一例として、四角な外箱の中に多数の四角い内箱があり、内箱に日付、曜日、時刻などを記載しておくボックス型の薬箱がある。例えば、特許文献１、特許文献２参照。ボックス型にも種々あるが、外箱が大きくなることや、内箱から薬を取り出すのが面倒でるという欠点がある。
【０００５】
他の例としては、引き出しに薬を分けて入れ、引き出しごとに日付、曜日、時刻などを記載する引き出し型の薬箱がある。例えば、特許文献３、特許文献４参照。これも、ボックス型と同様、外箱が大きくなることや、構造がやや複雑で、引き出しから薬を取り出すのが面倒でるという欠点がある。
【０００６】
また、他の例として、薬を日付、曜日、時刻などを記載した小袋や高さが段階的に異なる薄い箱に入れる状差し型がある。例えば、特許文献５参照。小袋を使用する場合は小袋に薬を入れるのが面倒で、薄い箱に入れる場合は形が大きくなる欠点がある。
【０００７】
他の例として、円盤状のケースを使用する円盤型がある。例えば、特許文献６、特許文献７参照。円盤型では複数のケースを重ねて回転させるものが提案されているが、構造がやや複雑で扱いも不便である。
【０００８】
さらに、電気的に服用する時間や薬の種類を表示する方式もいくつか提案されている。例えば、特許文献８参照。しかし、これも構造がやや複雑で、薬の取り出しも面倒である。
【先行技術文献】
【特許文献】
【０００９】
【特許文献１】登録実用新案第３１２８７１０号
【特許文献２】登録実用新案第３１３１２９５号
【特許文献３】特開２００２−２３３５６４
【特許文献４】登録実用新案第３１６５２２０号
【特許文献５】登録実用新案第３１６０５７０号
【特許文献６】登録実用新案第３１５４９４０号
【特許文献７】登録実用新案第３０１２２０４号
【特許文献８】登録実用新案第３１１４９６９号
【考案の概要】
【考案が解決しようとする課題】
【００１０】
上述のように、薬の飲み忘れを防止するための様々な提案があるが、いずれも一長一短がある。本考案の課題は、薬の飲み忘れを確実に防止し、小型軽量で、薬の出し入れや操作が簡単で、安価な薬箱を提供することである。
【課題を解決するための手段】
【００１１】
本考案の薬箱は、薬を入れるための円盤状の複数の薬ケースと、複数の薬ケースを収納するための収納箱とで構成され、薬ケースは７個以上のポケットを有し、ポケットごとに開閉蓋があり、ポケットの上面には曜日を表す情報が表示され、薬ケースの中央には指が入る大きさの穴があり、薬ケースの側面には時刻に関連する情報が表示され、収納箱は複数の薬ケースを径方向が縦になるように入れる構造をもち、収納箱の上面は開放され、収納箱の側面は薬ケースの穴を塞がない構造をもつことを特徴とする。
【考案の効果】
【００１２】
本考案の薬箱は、１週間の薬を入れるための円盤状の複数の薬ケースと、複数の薬ケースを収納するための収納箱とで構成されるため、構成が簡単で軽量小型にできる。また、円盤状の複数の薬ケースは全く同じ構造でよく、プラスチックを型で整形すれば非常に安価にできる。
【００１３】
１個の薬ケースにある７個のポケットの開閉蓋を開けて、容易に１週間分の薬を入れることができる。薬ケースの側面には朝、昼、夜などの時刻の情報が記されており、薬ケースの上面には曜日の情報が記されているので、例えば火曜日の朝であれば、側面に朝のマークのある薬ケースを収納箱から取り出し火曜日のポケットの開閉蓋を開け、薬ケースの上下を逆さにすれば容易に必要な薬を取り出すことができる。薬ケースの上面は透明または半透明で曜日のマークが端にあるため、ポケットの中身が簡単に見え、薬を飲んだか、まだ飲んでいないかが簡単に分る。
【００１４】
収納箱は、複数の薬ケースを収納するためのもので、薬ケースを縦に入れる構造のため、複数の薬ケースを上から入れるだけで簡単に収納できる。朝、昼、夜などの時刻の情報は、薬ケースの側面に表示されいるので、縦に入れることで外から見て一目瞭然であり、また、収納箱の側面は薬ケースの穴を塞がないような構造なので、横から穴に指を入れて必要な薬ケースを簡単に取り出すことができる。
【００１５】
また、収納箱に時計およびアラーム機能が一体化されていると、時刻の設定操作も簡単であり、毎日、服用時刻になると収納箱でアラームが鳴るので、飲み忘れの防止に効果的である。
【図面の簡単な説明】
【００１６】
【図１】本考案の薬ケースの説明図である。
【図２】複数の薬ケースの側面に表示された時刻情報の例を示す図である。
【図３】本発明の収納箱の斜視図である。
【図４】収納箱に複数の薬ケースを縦に収納した場合の図である。
【図５】収納箱の正面に時計とアラーム機能を持たせた場合の説明図である。
【符号の説明】
【００１７】
１  薬ケース
２  開閉蓋
４  ポケット
７  薬ケースの穴
８  曜日を表す情報の表示
１０  時刻に関連する情報の表示
１１  収納箱
１２  収納箱の側面
１３  収納箱の正面
１４  収納箱側面の窪み
１６  時計機能の曜日の表示部
１７  アラームのオン・オフスイッチ
１８  薬を飲む時刻の表示
１９  時刻設定ボタン
【考案を実施するための形態】
【００１８】
図１〜図５を用いて、以下に本考案を実施するための実施例について説明する。
【実施例】
【００１９】
図１は本考案の薬ケース１の説明図であり、（ａ）は上面Ａから見た図、（ｂ）は側面Ｃから見た図である。薬ケース１の形状は円盤状であり、ドーナツのように中心に指が入る大きさの穴７がある。１つの薬ケースには仕切り５で仕切られたポケット４が７個配列され、それぞれのポケット４には開閉蓋２が付いている。開閉蓋２の先端部３は開閉蓋２の延長上にあり、先端部３を指で持ち上げると開閉蓋２が開く。開閉蓋２の外周側にはポケット４との結合部６があり、蝶番の役目をしている。開閉蓋の先端部３の近くには小さな孔９が設けられ、開閉蓋３を押し下げたときにポケット４にある突起部と嵌合して開閉蓋２が閉じられる。
【００２０】
薬ケース１の上面Ａ（この場合は開閉蓋２）は透明または半透明の材料で作られており、ポケット４の中身、すなわち薬が入っているかいないかを簡単に確認することができる。個々の開閉蓋２には１週間分の曜日を表す情報８（日、月、火、・・・土）が表示されている。曜日を表す情報８は、ポケット４の中身を確認するために支障がないようにポケットの端に表示されている。薬ケース１の側面Ｃには、その薬ケースが１日のうちのどの時刻に使用するものかが簡単に分るように、朝、昼、夜などの時刻を表す情報が表示されている。図１の例は、朝に使用する薬ケースを「おはよう」のマークで表示した場合であり、図２（ａ）は昼に使用する薬ケースを太陽のマークで、図２（ｂ）は夜に使用する薬ケースを星のマークで表示したものである。もちろん、朝、昼、夜の文字で表示してもよい。また、利用者に合わせて時刻を書いたラベルを貼るようにしてもよい。
【００２１】
図３は、複数の薬ケース１を収納するための収納箱１１であり、木製の例を示しているが、もちろん薄いプラスチック製でもよい。収納箱１１は単なる直方体の箱であるが、箱の内側の幅Ｗは使用する複数の薬ケース１の厚みの合計より僅かに大きく、箱の内側の長さＬは薬ケース１の直径に近い寸法である。収納箱１１の内側の高さＨは薬ケース１の半径程度で、収納箱の側面１２の上端中央に薬ケース１の穴７に対応する位置に半円形の窪み１４がある。高さＨが薬ケース１の半径より小さく、収納箱１１に薬ケース１を収納したときに、薬ケースの穴７に指が入る高さであれば、窪み１４はなくともよい。
【００２２】
図４に朝と夜に飲む２つの薬ケース１を収納箱１１に収納した状態を示す。図４（ａ）は収納箱１１の正面１３から見た図であり、図４（ｂ）は収納箱１１の側面１２から見た図である。薬ケース１は収納箱１１に径方向が縦になるように収納する。上あるいは正面１３の方向からは、薬ケース１の側面Ｃに表示されている朝と夜の時刻を表すマーク１０がよく見え、それぞれの時刻に対応した薬ケースを簡単に選ぶことができる。この図の例では、２つの薬ケースの上面Ａを合わせ、底面Ｂが外側に来るように入れてあるが、上あるいは収納箱の正面１３から薬ケースの側面Ｃが見えればよいのでとくにこだわる必要はない。図４（ｂ）から分るように、薬ケースの穴７が収納箱の側面１２の窪み１４の位置に対応していて、個々に指を入れて持ち上げると薬ケースを容易に取り出すことができる。
【００２３】
図５は、収納箱１１の正面１３に時計とアラーム機能を持たせたもので、時計機能により日付１５と曜日１６が表示される。図５は、１日３回、朝、昼、夜に薬を服用する場合の例で、曜日１６の下に薬を飲む時刻１８ａ、１８ｂ、１８ｃを設定し、その時刻に一定時間、例えば３０秒〜１分間アラームが鳴るようにしてある。時刻表示１８の下にある矢印が下向きの時刻設定ボタン１９ａを押すと設定時刻が戻り、矢印が上向きの時刻設定ボタン１９ｂを押すと設定時刻が進む。時刻表示１８の上にはオン・オフスイッチ１７があり、アラームのオン、オフの設定が可能である。
【００２４】
つぎに、毎日３回、朝、昼、晩に薬を服用する場合を例に、本発明の薬箱の使用方法を説明する。この場合は、３個の薬ケースと３個の薬ケースが入る収納箱を使用する。
【００２５】
本発明の薬箱は１週間、例えば日曜日の朝から土曜日の夜までを単位とするものである。まず、土曜日の夜に、収納箱１１から朝、昼、夜の全ての薬ケース１を取り出し、薬ケースの全てのポケットの開閉蓋２を開け、朝、昼、夜に飲む１週間分の薬をそれぞれの薬ケースのポケットに入れる。全てのポケットに薬が入ったことを確認したら、開閉蓋２を閉じる。開閉蓋の先端部３を上からカチッと音がするまで軽く押すと、嵌合部９が閉じ、薬ケース１を逆さにしても薬がポケット４から出ることはない。薬を入れた３個の薬ケースを収納箱１１に収納する。左から、朝、昼、夜の順に入れればすっきりするが、とくに順序にこだわる必要はない。これで１週間の準備は終りであり、これを繰り返す。正しく薬を飲んだとすれば、１週間後の土曜日の夜には、夜の薬ケースの土曜日のポケットのみに薬が残っていて、それを飲めば全てのポケットが空になり、上述の説明どおりを繰り返せばよい。もし、薬の残ったポケットがあれば、そこは飲み忘れであり、飲み忘れの日時をメモするなどして、それ以外の全てのポケットに次の１週間分の薬を入れる。
【００２６】
薬を飲む時刻になったとき、例えば、火曜日の朝食後を例に取ると、収納箱１１の側面１２にある窪み１４から薬ケースの孔７に指を入れて薬ケースを持ち上げ、朝のマーク（時刻の情報１０）の付いた薬ケースだけを収納箱から取り出す。朝のマークは薬入れの側面Ｃにあるので収納箱の上あるいは正面１３から見え易く、薬ケースには指を入れる穴７があるので持ち上げて取り出すのは簡単である。取り出した薬ケースの火曜日のポケットの開閉蓋２を開け、薬ケース１を逆さにして薬を取り出し、開閉蓋２を閉めて収納箱１１へ戻す。薬を飲めばそれで服用の操作は終りである。薬ケースからの薬の取り出し、薬ケースの収納箱への出し入れも極めて簡単である。収納箱１１は小型軽量であり、置き場所も狭いスペースで済む。
【００２７】
もし、薬を飲んだことを忘れてもう一度飲もうとして同じ操作をすると、朝の薬ケースの火曜日のポケットには薬がないので、２度飲みを防ぐことができる。薬ケースの上面Ａは透明または半透明で全てのポケットの中が見えるので、すでに飲んだ分が空で、これから飲む分は薬が入っていることをいつでも簡単に確認することができる。また、薬局から支給された薬の残量を簡単に知ることができる。すなわち、毎週１回薬ケースに薬を入れるので、薬を入れたあと、薬局から支給された袋の中に薬が残っていれば、あと１週間以上残りの薬があり、袋の中に残りがなければ、薬の入ったポケットの数だけ残りがあることが簡単に分る。
【００２８】
薬を飲む時間をうっかり忘れてしまうことがあるので、別にタイマーなどを用いてもよいが、図５のように、収納箱１１に時計とアラーム機能を持たせ薬箱と一体化すると便利である。これを使用するときは、図５の収納箱１１の正面１３にある時計機能の月日１５と曜日１６を合わせておき、時刻設定ボタン１９により薬を服用する時刻１８ａ、１８ｂ、１８ｃを設定する。矢印が下向きのボタン１９ａを押すと時刻が戻り、矢印が上向きのボタン１９ｂを押すと時刻が進む。アラームのオン・オフスイッチ１７をオンにしておけば、設定した時刻にアラームが鳴るのでそのときに薬を服用すればよい。アラームは鳴り出してから３０秒〜１分程度で止る。通常の時計の時刻と曜日設定の他に、服用時刻を設定してオン・オフスイッチを押すだけなので操作は非常に簡単であり、薬箱から音が聞こえるので他のアラームと間違えることもない。
【００２９】
上述の実施例では、薬ケースのポケットの数を７個としたが、８個として例えば土曜日と日曜日の間に空のポケットを設けてもよい。このようにすると、薬を薬ケースの全ての曜日のポケットに入れたときに、土曜日と日曜日の間に空のポケットができ、日曜日からスタートし土曜日で終了することがよく分る利点がある。開閉蓋２は、閉じたときには逆さにしても薬が出ず、開いたときは薬が全て簡単に出る構造であれば何でもよく、薬ケースの上面Ａではなく側面Ｃにあってもよい。曜日を表す情報８および時刻に関連する情報１０は、その情報が分り易い表示であれば何でもよい。
【産業上の利用可能性】
【００３０】
高齢化が進む現在においては薬を服用する人が増え、飲み忘れも増えるので、とくに家庭では薬の飲み忘れを防止できる簡単な薬箱が重宝であり、今後、必需品として普及する可能性が高い。
【図１】
0003180447.tif 000003
【図２】
0003180447.tif 000004
【図３】
0003180447.tif 000005
【図４】
0003180447.tif 000006
【図５】
0003180447.tif 000007